(57)【要約】  開示は、加熱水および温水の供給のためボイラ内の熱交換器の入口に、冷たい加熱水または冷水が導入されても水の凝結を防ぐことができる、加熱水および温水を供給するボイラのための二重管熱交換器である。熱交換には、燃焼室のバーナーから燃焼熱が加えられる複数の外管と、それぞれが各外管内に挿入されている複数の内管と、冷たい加熱水が導入される戻りの加熱水管と、冷水が導入される冷水管と、が含まれている。前記戻りの加熱水管および前記冷水管が、前記内管のうちの１つに接続されている。熱交換器は、戻りの冷たい加熱水または冷水が最初に熱交換器の内管に導入され、充分に予熱され、熱交換器の外管に再び導入されるという構造を有し、これにより、戻りの冷たい加熱水または冷水が導入される熱交換器の入口周囲で水が凝結することを防ぐ。
2009516818.tif 000002
【特許請求の範囲】
【請求項１】
加熱水および温水を供給するボイラのための二重管熱交換器であって、
燃焼室のバーナーから燃焼熱が加えられる複数の外管と、
それぞれが各外管内に挿入されている複数の内管と、
冷たい加熱水が導入される戻りの加熱水管と、
冷水が導入される冷水管と、を備え、
前記戻りの加熱水管および前記冷水管が、前記内管のうちの１つに接続されている、二重管熱交換器。
【請求項２】
前記戻りの加熱水管に接続された前記内管が、増大する直径を有して、加熱水供給管に接続された外管に接続されており、前記冷水管に接続された前記内管が、増大する直径を有して、温水管に接続された前記外管に接続されている、請求項１に記載の二重管熱交換器。
【請求項３】
前記戻りの加熱水管が、前記温水管を介して延びて１つの内管に接続されており、前記冷水管が、前記加熱水供給管を介して延びて別の内管に接続されている、請求項１に記載の二重管熱交換器。
【請求項４】
前記戻りの加熱水管および前記冷水管が、並行して垂直に延びる前記内管にそれぞれ接続されており、流体経路キャップが燃焼室の側壁であって、前記内管の両端をそれぞれカバーし、前記内管を流れている前記戻りの加熱水が集められた前記流体経路キャップの一端が、前記加熱水供給管に接続された前記外管に接続されており、冷水が集められた前記流体経路キャップの一端が、前記温水管に接続された前記外管に接続されている、請求項１に記載の二重管熱交換器。
【請求項５】
前記外管および内管には、螺旋型管、コイル型管、およびフィン型管が含まれる、請求項１〜４のいずれかに記載の二重管熱交換器。
【発明の詳細な説明】
【技術分野】
【０００１】
本発明は、加熱水および温水を供給するボイラのための二重管熱交換器に関し、さらに詳しくは、加熱水および温水の供給のためボイラ内の熱交換器の入口に、冷たい加熱水または冷水が導入されても水の凝結を防ぐことができる、加熱水および温水を供給するボイラのための二重管熱交換器に関する。
【背景技術】
【０００２】
周知のように、家庭や公共の建物において室内を暖房するため、および温水を供給するためボイラは使用されてきた。一般に、ボイラは、油またはガスを燃料として使用し、バーナーを使用して燃料を燃焼する。そして、ボイラは、燃焼の過程において生成された燃焼熱を使用して水を加熱し、必要な場合に室内を暖房するためや温水を供給するため、加熱された水を循環させる。
【０００３】
一般に、ボイラは、二重管熱交換器または単一管熱交換器を使用する。二重管熱交換器とは、温水熱交換管が加熱水熱交換器に挿入されているものを意味する。単一管熱交換器とは、温水熱交換器および加熱水熱交換器が別々に設置されているものを意味する。
【０００４】
二重管熱交換器を有するボイラは、単一管熱交換器を有するボイラに比較して小型サイズに製造され得るので、ボイラの製造コストを削減することが可能である。さらに、ボイラは、高い熱効率を有する。
【０００５】
図１は、二重管熱交換器を有する通常のボイラの構成を示す図である。
【０００６】
通常のボイラにおいて、バーナー２０が燃焼室１０の下部に配置されている。熱交換器３０は、バーナー２０の上部に設置されている。従って、バーナー２０から生成した熱エネルギーは、水が通常流れる管を含む熱交換器３０に伝達される。
【０００７】
室内を暖房する間、ボイラの膨張タンク４０に蓄えられた水は、循環ポンプ６０によって熱交換器３０に流れる。その後、熱交換器３０によって加熱された水は、加熱水供給管５１を介して加熱水ライン５０に流れることにより、室内を暖房し、加熱水戻り管５２を介して順次循環し、その後膨張タンク４０に戻る。
【０００８】
二重管熱交換器を有する通常のボイラは、ユーザーが温水を使用するとき、バーナー２０の燃焼熱が外管３１を介して内管３２に伝達されて迅速に温水を供給するように、加熱水ライン５０が三方弁４０で割り込まれるとして設計されてきた。
【０００９】
一般に、ボイラの熱交換器３０に導入される加熱水の温度が、バーナー２０内での燃焼で生じた排気ガス中に含まれる水蒸気の露点よりも低い場合は、加熱水は凝結する。
【００１０】
さらに、ボイラ用燃料に含まれるハイドロカーボンＣｎＨ２ｎ＋２が酸素Ｏ２と反応し、熱を放出しながら水蒸気Ｈ２Ｏおよび二酸化炭素ＣＯ２に変化する。そして、排気ガスは、排気ポートから外部に放出される。
【００１１】
しかし排気ガスと混合した水蒸気が、冷水または戻りの加熱水が導入される入口管によって冷却されると、その温度が露点よりも下がり、水蒸気は液体状態の水Ｈ２Ｏへと変化する。このように凝結した水は、排気ガスに含まれる別の成分である二酸化硫黄ＳＯ２に反応し、硫酸Ｈ２ＳＯ４へと変化し、熱交換器用の管の入口周囲に腐食を生じさせる。
【００１２】
図２は、通常の二重管熱交換器の構成を示す断面図である。
【００１３】
本明細書に添付の図２に示すように、通常の二重管熱交換器において、凝結は熱交換器の入口３１ａに集中的に生じ、戻りの冷たい加熱水が熱交換器の入口周囲の管の腐食を生じさせる。従って、熱交換器とボイラの寿命が短くなるという課題がある。
【発明の開示】
【発明が解決しようとする課題】
【００１４】
従って、先行技術で生じている上述の課題を解決するために本発明はなされ、加熱水と温水を供給するボイラのための二重管熱交換器を提供することが本発明の目的であり、これにより、加熱水と温水を供給するボイラ内の熱交換器の入口に、冷たい加熱水または冷水が導入されても凝結水の生成を防ぐことができる。
【課題を解決するための手段】
【００１５】
本発明の目的を達成するため、加熱水と温水を供給するボイラのための二重管熱交換器が提供され、これには、燃焼室のバーナーから燃焼熱が加えられる複数の外管と、それぞれが各外管内に挿入されている複数の内管と、冷たい加熱水が導入される戻りの加熱水管と、冷水が導入される冷水管と、が含まれ、戻りの加熱水管および冷水管が、内管のうちの１つに接続されている。
【００１６】
さらに、戻りの加熱水管に接続された内管が、増大する直径を有して、加熱水供給管に接続された外管に接続されており、冷水管に接続された内管が、増大する直径を有して、温水管に接続された外管に接続されている。
【００１７】
さらに、戻りの加熱水管が、温水管を介して延びて１つの内管に接続されており、冷水管が、加熱水供給管を介して延びて別の内管に接続されている。
【００１８】
さらに、戻りの加熱水管および冷水管が、並行して垂直に延びる内管にそれぞれ接続されており、流体経路キャップが燃焼室の側壁であって内管の両端をそれぞれカバーし、内管を流れている戻りの加熱水が集められた流体経路キャップの一端が、加熱水供給管に接続された外管に接続されており、冷水が集められた流体経路キャップの一端が、温水管に接続された外管に接続されている。
【００１９】
さらに、外管および内管には、螺旋型管、コイル型管、およびフィン型管が含まれる。
【００２０】
有利な効果
本発明に従った、加熱水と温水を供給するボイラのための二重管熱交換器は、戻りの冷たい加熱水または冷水が最初に熱交換器の内管に導入されて充分に予熱され、その後、外管に導入されるという構造を有する。従って、戻りの冷たい加熱水または冷水が導入される入口周囲での水蒸気の凝結を防ぐという利点がある。
【発明を実施するための最良の形態】
【００２１】
以下、本発明の好適な実施形態を添付の図面を参照して詳細に説明する。
【００２２】
図３は、本発明の実施形態に従った、加熱水と温水を供給するボイラのための二重管熱交換器の構成を示す断面図である。
【００２３】
本明細書に添付の図３に示すように、そのそれぞれに外管３１０および内管３２０が含まれる２つの二重管が、燃焼室に接続されている。本明細書に添付の図３に示すように、戻りの加熱水管５２が、下部温水管７１を介して延び、そして熱交換器３００の内管３２０ａに接続されている。内管３２０ａは、温水管７１に接続される外管３１０ａとともに二重管を形成する。
【００２４】
戻り加熱水管５２に接続された内管３２０ａは、延びてボイラの上部に配置された外管３１０ｂに接続されている。外管３１０ｂは加熱水管５１に接続され、ここにおいて冷水管７０に接続された内管３２０ｂが挿入されて二重管を形成している。この場合、下部温水管７１に接続された外管３１０ａは、内管３２０ｂに接続されており、これは徐々に小さくなる直径を有し、ボイラの上部に配置された冷水管７０に接続されている。
【００２５】
他方で、戻りの加熱水が熱交換器に導入される戻りの加熱水管５２は、温水管７１を介して延び、熱交換器３００の内管３２０ａに接続されている。さらに、冷水管７０は、加熱水供給管５１を介して延び、熱交換器３００の別の内管３２０ｂに接続されている。
【００２６】
このようにして、燃焼室の排気ガスがありながら、戻りの冷たい加熱水および冷水が流れる内管３２０ａと３２０ｂの直接接続を回避することが可能である。戻りの冷たい加熱水は、内管３２０ａを流れながら外管３１０ａを流れる温水によって予熱されて、別の二重管の外管３１０ｂに流れる。このようにして、凝結水の生成を防ぐことが可能である。さらに、冷水は、内管３２０ｂを流れながら外管３１０ｂを流れる温水によって予熱されて、別の二重管の外管３１０ａを流れる。このようにして、凝結水の生成を防ぐことができる。
【００２７】
図４は、本発明の別の実施形態に従った、加熱水と温水を供給するボイラのための二重熱交換器の構成を示す断面図である。
【００２８】
図４に示すように、１つの外管３１０ａおよび並行して配置された２つの内管を含む二重管が、熱交換器の下部に設置されている。１つの外管３１０ｂおよび並行して配置された２つの内管を含む別の二重管が、冷水が導入される熱交換器の上部に設置されている。２つの二重管は、互いに積み重ねられている。この場合、並行して設置されている２つの内管３２０ａおよび３２０ｂは、流体経路キャップ３４０および３４１によって互いに接続されている。この実施形態において、２つの内管３２０ｂは、熱交換器内に設けられている。しかし、ボイラの容量に応じて２つ以上の内管が熱交換器内に設置されてもよい。
【００２９】
本明細書に添付の図４に示すように、戻りの冷たい加熱水が導入される戻りの加熱水管５０は、熱交換器の下部で流体経路キャップ３４０ａに接続されている。流体経路キャップ３４０ａは、燃焼室の側壁に設置されており、並行して垂直に延びる２つの内管３２０ａの端部をカバーする。
【００３０】
内管３２０ａは、内管３２０ａを囲む外管を介して延びて、別のキャップ３４１ａに接続されている。複数の内管３２０ａを流れる戻りの加熱水のための流体経路は、流体経路キャップ３４１ａに集められている。流体経路キャップ３４１ａの上部端は、熱交換器の上部に設置された外管３１０ｂの下部端に接続されている。外管３１０ｂは加熱水供給管５１に接続されている。
【００３１】
さらに、冷水が導入される冷水管７０は、熱交換器の側方で流体経路キャップ３４１ｂに接続されている。流体経路キャップ３４１ｂは、燃焼室の側壁に取り付けられ、並行して垂直に延びる２つの内管３２０ｂをカバーする。
【００３２】
内管３２０ｂは、内管３２０ｂを囲う外管３１０ｂを介して延び、熱交換器の別の側に取り付けられた流体経路キャップ３４０ｂに接続されている。複数の内管３２０ｂを流れる冷水の流体経路は、流体経路キャップ３４０ｂに集められている。流体経路キャップ３４０ｂの下部端は、熱交換器の下部端に設置された外管３１０ａの上部端に接続されている。外管３１０ａは、温水管７１に接続されている。
【００３３】
上述の構造の本発明の実施形態によれば、戻りの加熱水管５２に導入された戻りの冷たい加熱水は、流体経路キャップ３４０ａによって互いに並行に接続された２つの内管３２０ａを流れ、内管３２０ａを囲う外管３１０ａを流れる温水によって予熱される。そして、戻りの冷たい加熱水は、熱交換器の上部に配置された外管３１０ｂを流れる。このようにして、凝結水の生成を防ぐことができる。
【００３４】
さらに、冷水管７０に導入された冷水は、流体経路キャップ３４１ｂによって互いに並行に接続された２つの内管を流れ、内管３２０ｂを囲う外管３１０ｂ内に流れる温水によって予熱される。そして、冷水は、熱交換器の下部に配置された外管３１０ａを流れる。このようにして、水が凝結することを防ぐことができる。
【００３５】
さらに、燃焼室の外部に取り付けられている流体経路キャップ３４０および３４１は、複数の二重管が配置されている熱交換器の接続管として使用されているので、熱交換器は、二重管の簡単な構造を有することができる。二重管の経路は、簡単に変更することができる。
【００３６】
図５は、本発明の実施形態に従った、加熱水と温水を供給するボイラのための二重管熱交換器の構成を示す別の断面図である。
【００３７】
図５に示すように、二重管熱交換器は、図４に示す二重管熱交換器と同様の構造を有するが、図４に示す二重管熱交換器と異なる点があり、それぞれ外管３１０および内管３２０を含む二重管の３つのバンドルが、互いに３列で積み重ねられている。
【００３８】
本明細書に添付の図５に示すように、戻りの冷たい加熱水が導入される戻りの加熱水管５２、および冷水が導入される冷水管７０が、熱交換器内で並行して配置された内管３２０ａおよび３２０ｂによって互いに接続されている。
【００３９】
従って、戻りの冷たい加熱水は、内管３２０ａを流れ、外管３１０ａを流れる温水によって予熱される。そして、戻りの冷たい加熱水は、流体経路キャップ３４１ａを介して外管３１０ｂへ流れる。冷水は、最上部の管束の内管３２０ｂを流れ、内管３２０ｂを囲う外管３１０ｂを流れる温水によって予熱される。そして、冷水は、最下部の管束の外管３１０ａを流れる。このようにして、水が凝結することを防ぐことが可能である。
【００４０】
好ましくは、外管および内管３１０および３２０には、排気ガスとの接触面積を増やすことで熱交換器の熱伝達能力を高めるため、螺旋型管、コイル型管、およびフィン型管が含まれる。
【産業上の利用可能性】
【００４１】
本発明は、戻りの冷たい加熱水または冷水が最初に熱交換器の内管に導入され、充分に予熱され、熱交換器の外管に再び導入されるという構造を有し、これにより、戻りの冷たい加熱水または冷水が導入される熱交換器の入口周囲で水が凝結することを防ぐ、加熱水および温水を供給するボイラのための二重管熱交換器を提供する。
【００４２】
本発明の好適な実施形態を説明の目的で記載してきたが、当業者は、添付の特許請求の範囲に開示された発明の範囲と精神から逸脱することなく、多様な改変、追加、置換が可能であることを理解するであろう。
【図面の簡単な説明】
【００４３】
本発明の先述または他の目的、特徴、および利点は、添付の図面とともに上記の詳細な説明からさらに明確になるであろう。
【図１】二重管熱交換器を有する通常のボイラの構成を示す図である。
【図２】二重管熱交換器を有する通常のボイラの構成を示す断面図である。
【図３】本発明の実施形態に従った、加熱水と温水を供給するボイラのための二重管熱交換の構成を示す断面図である。
【図４】本発明の別の実施形態に従った、加熱水と温水を供給するボイラのための二重管熱交換器の構成を示す断面図である。
【図５】本発明のさらに別の実施形態に従った、加熱水と温水を供給するボイラのための二重管熱交換器の構成を示す断面図である。
【図１】
2009516818.tif 000003
【図２】
2009516818.tif 000004
【図３】
2009516818.tif 000005
【図４】
2009516818.tif 000006
【図５】
2009516818.tif 000007
【国際調査報告】
2009516818.tif 000008
2009516818.tif 000009